(57)【要約】【課題】  壁掛け用の構造を簡略化し、基板の高さ制限を緩和することができなかった。【解決手段】  フロントキャビネット１と、リアキャビネット２とにより、薄箱状の筺体を形成してディスプレイパネル３を収容する。ＰＣＢプレート４はディスプレイパネル３の背面にネジ止め固定され、ＰＣＢ５をネジ止め固定して支持している。ＰＣＢプレート４の四隅には軸受け部材４ａが備えられ、設置場所はＶＥＳＡ規格に対応している。ＰＣＢ５には軸受け部材４ａを貫通させるための回避穴５ａを形成してあり、軸受け部材４ａを貫通させた状態でＰＣＢプレート４上に固定している。軸受け部材４ａの先端はリアキャビネット２の裏側に到達しており、壁掛け金具は四つの取付ネジ穴２ｃを介してリアキャビネット２を介在させつつ四つの軸受け部材４ａに螺合固定される。この状態で同壁掛け金具を壁に固定することで本薄型ディスプレイを壁掛け支持することが可能となる。【選択図】  図１
2010256699.tif 000002
【特許請求の範囲】
【請求項１】
表示面の開口を有するとともに筺体の前面側となる枠状に形成されるフロントキャビネットと、
筺体の背面側となる薄箱形に形成されるリアキャビネットと、
前面側に表示面を有し、背面と側面を金属製ケースに覆われ、上記フロントキャビネットと上記リアキャビネットからなる筺体に収容されつつ同フロントキャビネットの開口から表示面を露出する薄型ディスプレイパネルと、
薄型ディスプレイパネルの背面に取り付けられるＰＣＢプレートと、
薄型ディスプレイの制御基板となる主基板と、
ＰＣＢプレートに一端を取付られ、略垂直に背面側に向けて延設され、他端は上記リアキャビネットに到達するとともに、同リアキャビネットを介在させた状態で外部の壁掛け金具にネジ止め固定可能な雌ねじ穴を形成される軸受け部材とを具備することを特徴とする薄型ディスプレイ。
【請求項２】
上記主基板は、上記軸受け部材を貫通可能とする回避穴を有することを特徴とする請求項１に記載の薄型ディスプレイ。
【請求項３】
上記軸受け部材は、略円柱状であることを特徴とする請求項１または請求項２に記載の薄型ディスプレイ。
【請求項４】
上記軸受け部材は、上記ＰＣＢプレートに対してカシメにより嵌合固定されることを特徴とする請求項３に記載の薄型ディスプレイ。
【請求項５】
上記軸受け部材は、金属製板材を折り曲げて形成されることを特徴とする請求項１または請求項２に記載の薄型ディスプレイ。
【請求項６】
上記軸受け部材は、断面Ｌ字型であることを特徴とする請求項５に記載の薄型ディスプレイ。
【請求項７】
上記軸受け部材は、断面コの字型であることを特徴とする請求項５に記載の薄型ディスプレイ。
【請求項８】
表示面の開口を有するとともに筺体の前面側となる枠状に形成されるフロントキャビネットと、
筺体の背面側となる薄箱形に形成されるリアキャビネットと、
前面側に表示面を有し、背面と側面を金属製ケースに覆われ、上記フロントキャビネットと上記リアキャビネットからなる筺体に収容されつつ同フロントキャビネットの開口から表示面を露出する薄型ディスプレイパネルと、
薄型ディスプレイパネルの背面に取り付けられるＰＣＢプレートと、
略円柱状に形成されるとともに一端を上記ＰＣＢプレートに対してカシメによる嵌合固定で取付られ、略垂直に背面側に向けて延設され、他端は上記リアキャビネットに到達するとともに、同リアキャビネットを介在させた状態で外部の壁掛け金具にネジ止め固定可能な雌ねじ穴を形成される軸受け部材と、
薄型ディスプレイの制御基板となるとともに、上記軸受け部材を貫通可能とする回避穴を有する主基板とを具備することを特徴とする薄型ディスプレイ。
【発明の詳細な説明】
【技術分野】
【０００１】
本発明は、薄型ディスプレイに関する。
【背景技術】
【０００２】
特許文献１に開示される従来技術では、リアキャビネットの背面側に、壁掛け金具を取り付けるインサートナットを埋め込んである。
特許文献２に開示される従来技術では、リアキャビネットに対するスタンドの取り付け方向を変えることにより、壁掛け可能としている。
特許文献３に開示される従来技術では、ディスプレイパネルの背面にブリッジ形状の構造体を垂直に配向しつつ平行に取り付けている。
【０００３】
図５は、従来例の内部構成を示す斜視図である。
同図は、フロントキャビネット１０、開口１０ａ、リアキャビネット１１、取付ネジ穴１１ａ、ディスプレイパネル１２、第一のフレーム部材１３、第二のフレーム部材１４、ＰＣＢ１５、スタンド１６を示している。
次に、これらについて説明する。
フロントキャビネット１０とリアキャビネット１１は合体することで内部にディスプレイパネル１２を収容可能な筺体を形成する。リアキャビネット１１の背面中央には図示しない壁掛け金具を固定するための四つの取付ネジ穴１１ａが形成されている。
【０００４】
ディスプレイパネル１２の背面には、ブリッジ形状の二つの第一のフレーム部材１３が平行に取り付けられており、第二のフレーム部材１４は両者を連結するように取り付けられている。スタンド１６はディスプレイパネル１２に固定され、ディスプレイパネル１２を支持する。
上記図５においては、ディスプレイパネル３の背面には鉛直方向に配向した平行な二つの第一のフレーム部材１３が備えられるとともに、両者間を第二のフレーム部材１４が連結している。また、ＰＣＢ１５は、これらの第一のフレーム部材１３と第二のフレーム部材１４、およびディスプレイパネル１２との間に収容される。
【０００５】
安全規格によりＰＣＢ１５上の電子部品と、第一のフレーム部材１３や第二のフレーム部材１４との最小間隔が定められている。従って、ＰＣＢ１５の背面側を覆うように第二のフレーム部材１４が位置する構成では、必然的に全体の厚みが増してしまって薄型に限界が生じる。また、第一のフレーム部材１３や第二のフレーム部材１４を必要とする構成は簡易ではなく、コストも上昇する。
【先行技術文献】
【特許文献】
【０００６】
【特許文献１】特開２００７−２３３０１８
【特許文献２】特開２００８−１６５０３５
【特許文献３】特開２００７ー２０６６４６
【発明の概要】
【発明が解決しようとする課題】
【０００７】
上述した特許文献１の技術においては、リアキャビネットで支持できる小型のディスプレイにしか利用できないという課題があった。
上述した特許文献２の技術においては、スタンドの取り付け方向を変えられるだけであり、支持構造自体は従前の構成を採用しているという課題があった。
上述した特許文献３の技術においては、主基板を跨ぐ構造となるため、主基板に高さ制限が生じ、また、ブリッジ形状の構造体を二本必要とし、構造が複雑となっているという課題があった。
【０００８】
本発明の目的は、壁掛け用の構造を簡略化し、基板の高さ制限を緩和することにある。
【課題を解決するための手段】
【０００９】
上記課題を解決するため、本発明においては、表示面の開口を有するとともに筺体の前面側となる枠状に形成されるフロントキャビネットと、筺体の背面側となる薄箱形に形成されるリアキャビネットと、前面側に表示面を有し、背面と側面を金属製ケースに覆われ、上記フロントキャビネットと上記リアキャビネットからなる筺体に収容されつつ同フロントキャビネットの開口から表示面を露出する薄型ディスプレイパネルと、薄型ディスプレイパネルの背面に取り付けられるＰＣＢプレートと、薄型ディスプレイの制御基板となる主基板と、ＰＣＢプレートに一端を取付られ、略垂直に背面側に向けて延設され、他端は上記リアキャビネットに到達するとともに、同リアキャビネットを介在させた状態で外部の壁掛け金具にネジ止め固定可能な雌ねじ穴を形成される軸受け部材とを具備する構成としてある。
【００１０】
上記のように構成した本発明においては、フロントキャビネットとリアキャビネットとが前後方向から合体し、筺体を形成する。同筺体は、内部に薄型ディスプレイパネルを収容する。薄型ディスプレイパネルは、主基板を保持するＰＣＢプレートを背面側に備えている。ＰＣＢプレートは、軸受け部材を備えており、背面側に向けて略垂直に突出している。軸受け部材はリアキャビネットに到達しており、壁掛け時には壁掛け金具をリアキャビネットの背面側に配置し、雄ネジにて上記連結部材の先端に形成した雌ネジに螺合固定する。
【００１１】
本発明の他の態様においては、上記主基板は、上記軸受け部材を貫通可能とする回避穴を有しする構成としてある。
上記のように構成した本態様においては、ＰＣＢプレートには軸受け部材が立設されることになるので、このままでは主基板の大きさに制限が加わる。しかし、上記軸受け部材を貫通可能な回避穴を備えることにより、同回避穴に上記軸受け部材を貫通させ、同主基板をＰＣＢプレート上に固定する。
【００１２】
本発明の他の態様においては、上記軸受け部材は、略円柱状とした構成としてある。
上記のように構成した本態様においては、略円柱状の一端はＰＣＢプレートに固定され、他端に形成される雌ネジにより、外部の壁掛け金具に固定される。
本発明の他の態様においては、上記軸受け部材は、上記ＰＣＢプレートに対してカシメにより嵌合固定される構成としてある。
【００１３】
上記のように構成した本態様においては、軸受け部材の一端を上記ＰＣＢプレート上の所定位置に配置させた上で、両者をカシメて嵌合固定する。
本発明の他の態様においては、上記軸受け部材は、金属製板材を折り曲げて形成される構成としてある。
上記のように構成した本態様においては、金属製板材を折り曲げることにより、一端は主基板上の所定位置に固定可能な形状としつつ、他端は外部の壁掛け金具に固定可能な形状とする。
【００１４】
本発明の他の態様においては、上記軸受け部材は、断面Ｌ字型である構成としてある。
上記のように構成した本態様においては、長手方向に平行な折り曲げが一カ所で、必要な強度を生じさせる。
本発明の他の態様においては、上記軸受け部材は、断面コの字型である構成としてある。
上記のように構成した本態様においては、長手方向に平行な折り曲げを二カ所とすることにより、必要な強度を生じさせる。
【発明の効果】
【００１５】
上記のように構成した本発明によれば、外部の壁掛け金具は軸受け部材とＰＣＢプレートを介して薄型ディスプレイパネルに固定されるので、従来のようにブリッジ形状の連結部材を使用する場合と比較して構成を簡略化することができる。また、連結部材同士を連結する部材が必要となる場合は主基板の背面側に位置することになるが、主基板を跨ぐ場合には安全上のクリアランスを確保する必要がある。これにより、同クリアランスのために不要に筺体を厚くしなければならなかった。しかし、このような部材を必要としないので、クリアランスの問題も生じなくすることができる。
【００１６】
また、請求項２の発明によれば、主基板の大きさによっては軸受け部材と干渉するような場合でも、同軸受け部材を使用しつつ主基板も収容して保持することができる。
また、請求項３の発明によれば、略円柱状とすることで一般的な素材により形成可能となる。
また、請求項４の発明によれば、カシメによる嵌合固定により、加工工程を簡略化しつつ、強固に固定することができる。
【００１７】
また、請求項５の発明によれば、金属製板材を折り曲げるので、円柱や角柱などの場合に比べて軽量で安価に形成可能となる。
また、請求項６の発明によれば、簡略な構成とすることができる。
また、請求項７の発明によれば、コンパクトに必要な強度を得ることができる。
【図面の簡単な説明】
【００１８】
【図１】内部構成を示す斜視図である。
【図２】ＰＣＢプレートの変形例を示す斜視図である。
【図３】軸受け部材の変形例を示す斜視図である。
【図４】軸受け部材の変形例を示す斜視図である。
【図５】従来例の内部構成を示す斜視図である。
【発明を実施するための形態】
【００１９】
以下、図面を参照しながら、本発明の実施の形態について、詳細に説明する。
図１は、内部構成を示す斜視図である。
同図は、フロントキャビネット１、開口１ａ、前面枠１ｂ、周縁枠１ｃ、リアキャビネット２、背面壁２ａ、周縁壁２ｂ、取付ネジ穴２ｃ、ディスプレイパネル３、ＰＣＢプレート４、軸受け部材４ａ、ＰＣＢ５、回避穴５ａ、スタンド６、ネック６ａ、ベース６ｂを示している。
【００２０】
次に、これらについて説明する。
フロントキャビネット１は、筺体の前面側を構成し、開口１ａを有する枠状となっている。開口１ａは、フロントキャビネット１に形成され、ディスプレイパネル３の表示面を露出させる。前面枠１ｂは、枠状となっている壁面のうちの前面側に面している壁面である。周縁枠１ｃは、枠状となっている壁面のうちの側面側に面している壁面である。
【００２１】
リアキャビネット２は、筺体の後面側を構成する薄箱形に形成され、筺体の内部にディスプレイパネル３などを収容できるようにするために凹部形成となっている。背面壁２ａは、リアキャビネット２における背面側を覆う壁面である。周縁壁２ｂは、リアキャビネット２における側面側を覆う壁面である。取付ネジ穴２ｃは、背面壁２ａに形成され、壁掛け金具を取り付ける際にネジ止め固定するためのネジ穴である。
【００２２】
ディスプレイパネル３は、薄型表示パネルであり、液晶表示パネルやプラズマ表示パネルや有機ＥＬパネルなどがあり、前面側には表示面を有して側面と背面は金属製ケースにて覆われている。
ＰＣＢプレート４は、ディスプレイパネル３の金属製ケースにネジ止め固定にて支持され、その状態でディスプレイパネル３を駆動する制御基板を載置して保持するための金属製の板状部材である。ここでは、制御基板である主基板５（ＰＣＢ）を載置して保持するための金属製の板状部材であり、幅２００ｍｍ、高さ２００ｍｍの間隔とした壁掛け金具に対応するように形成されている。軸受け部材４ａは、金属製の略円柱状の部材であり、一端をＰＣＢプレート４にカシメによる嵌合固定されてリアキャビネット２に向けて延設され、他端の先端には雌ネジ穴が形成されている。
【００２３】
ＰＣＢ５は、ディスプレイパネル３を制御する基板である。回避穴５ａは、ＰＣＢプレート４から立設される軸受け部材７ａ４ａを貫通可能として干渉するのを避けるために形成された貫通穴である。スタンド６は、薄型ディスプレイを床などに置いて保持するための脚部である。ネック６ａは、スタンド６における薄型ディスプレイとの連結部分である。ベース６ｂは、スタンド６において床面に当接する部分である。
【００２４】
上記図１においては、フロントキャビネット１と、リアキャビネット２とにより、薄箱状の筺体を形成する。同筺体内にはディスプレイパネル３が収容され、同ディスプレイパネル３の下部にてスタンド６のネック６ａが固定されている。ネック６ａの下端はベース６ｂに固定されているので、同スタンド６がディスプレイパネル３を支持し、さらには同ディスプレイパネル３を収容する筺体としてのフロントキャビネット１とリアキャビネット２とが支持されることになる。
【００２５】
テレビジョン放送を受信し、あるいは外部からの映像信号や音声信号を受信し、ディスプレイパネル３にて表示したり、図示しないスピーカーを介して音声を出力するため、ＰＣＢ５（主基板）が備えられている。ＰＣＢ５は金属製の板材にて形成されるＰＣＢプレート４を介してディスプレイパネル３の背面に支持されている。同ディスプレイパネル３は前面側に表示面を有し、側面と背面は金属製ケースにて覆われている。この金属製ケースは当該ディスプレイパネル３を支持するに足る構造体を兼ねている。ＰＣＢプレート４はかかる構造体のディスプレイパネル３の背面にネジ止め固定され、ＰＣＢ５は当該ＰＣＢプレート４の一部に形成された載置用爪にネジ止め固定されている。
【００２６】
ＰＣＢプレート４の四隅には軸受け部材４ａが備えられている。ＰＣＢプレート４はＰＣＢ５を支持するだけではなく、ディスプレイパネル３を支持するに足る強度を有しており、軸受け部材４ａも当該ディスプレイパネル３を支持するに足る強度でＰＣＢプレート４に嵌合固定されている。
軸受け部材４ａの設置場所は、壁掛け金具の規格に依存している。図に示すものは２００ｍｍ×２００ｍｍのＶＥＳＡ規格に対応している。
【００２７】
ＰＣＢ５がこのような規格を前提として軸受け部材４ａの間に配置できる場合もあるが、必ずしも配置できるとは限らない。本実施例に示すＰＣＢ５の場合、一つの軸受け部材４ａを貫通させるための回避穴５ａを形成してある。この回避穴５ａに一つの軸受け部材４ａを貫通させた状態でＰＣＢプレート４上に固定している。
回避穴５ａは他の規格に従ってＰＣＢ５上の電子部品との距離を確保できるように形成する。また、ＰＣＢ５上においても回避穴５ａの周辺では上記規格を満足するように部品の配置を設計している。
【００２８】
軸受け部材４ａの先端はリアキャビネット２の裏側に到達しており、同リアキャビネット２に形成した取付ネジ穴２ｃに対面している。壁掛け時はスタンド６を外し、リアキャビネット２の背面にＶＥＳＡ規格に対応した図示しない壁掛け金具を固定する。
同壁掛け金具は四つの取付ネジ穴２ｃを介してリアキャビネット２を介在させつつ四つの軸受け部材４ａに螺合固定される。この状態で同壁掛け金具を壁に固定することで本薄型ディスプレイを壁掛け支持することが可能となる。
【００２９】
図２は、ＰＣＢプレートの変形例を示す斜視図である。
同図は、第二のＰＣＢプレート７と、軸受け部材７ａを示している。
次に、これらについて説明する。
第二のＰＣＢプレート７は、ディスプレイパネル３の金属製ケースにネジ止め固定にて支持され、その状態でディスプレイパネルを駆動する制御基板を載置して保持するための金属製の板状部材である。ここでは、ＰＣＢ５（主基板）を載置して保持するための金属製の板状部材であり、幅４００ｍｍ、高さ２００ｍｍの間隔とした壁掛け金具に対応するように形成されている。
【００３０】
軸受け部材７ａは、金属製の円柱状の部材であり、幅方向に４００ｍｍ隔てて配置され、高さ方向に２００ｍｍ隔てて配置されている。
上記図２においては、ＶＥＳＡ規格には複数のネジ穴の間隔が規定されており、この例では４００ｍｍ×２００ｍｍの規格に対応してＰＣＢプレート４の形状を決定している。このように左右の軸受け部材４ａの間隔を広くすることで載置すべきＰＣＢ５に回避穴５ａを形成しなくても干渉を避けることができる。
【００３１】
むろん、ＰＣＢプレート４の形状はＶＥＳＡ規格のネジ穴間隔に対応して軸受け部材４ａを固定できるものであればよく、図示したものに限られない。
図３は、軸受け部材の変形例を示す斜視図である。
同図は、第二の軸受け部材８、Ｌ字断面部位８ａ、ＰＣＢ側取付部位８ｂ、金具側取付部位８ｃを示している。
次に、これらについて説明する。
【００３２】
第二の軸受け部材８は、金属製板材を断面Ｌ字型となるように折り曲げ加工して形成されている。Ｌ字断面部位８ａは、金属製板材を長手方向に平行に断面Ｌ字型に折り曲げて必要な強度を得られるようにしている。ＰＣＢ側取付部位８ｂは、断面Ｌ字型とされるそれぞれの壁面を長手方向と垂直に外側に折り曲げて形成され、ＰＣＢプレート４に対してネジ止め固定することで略垂直に立設可能としている。金具側取付部位８ｃは、断面Ｌ字型とされる壁面の両方または片方を長手方向と垂直に内側に折り曲げて形成され、中央に雌ネジ穴を形成して壁掛け金具を螺合固定可能としている。
【００３３】
次に、これらの関係について説明する。
第二の軸受け部材８は金属製板材を折り曲げ加工して形成されており、全長にわたって断面がＬ字型となるＬ字断面部位８ａを有している。Ｌ字断面部位８ａの一端はＰＣＢプレート４に取り付けるためのＰＣＢ側取付部位８ｂとなっており、同ＰＣＢ側取付部位はＬ字断面部位のそれぞれの壁面を長手方向と直角に外側に折り曲げて形成されている。第二の軸受け部材８におけるＬ字断面部位の他端は壁掛け金具が螺合するための金具側取付部位８ｃとなっており、同金具側取付部位はＬ字断面部位のそれぞれまたは一方の壁面を長手方向と直角に内側に折り曲げて形成されている。
【００３４】
上記図３においては、Ｌ字断面部位の全長はＰＣＢプレート４の表面からリアキャビネット２の内側面までの距離に相当し、ＰＣＢ側取付部位８ｂにてＰＣＢプレート４に対して二カ所でネジ止め固定する。金具側取付部位８ｃには雌ネジ穴を形成してあるので、壁掛け金具を固定する際には上述した取付ネジ穴２ｃを介してネジ止め固定する。なお、ＰＣＢプレート４への固定方法は図示したものに限られず。カシメによる嵌合固定でも良い。
【００３５】
図４は、軸受け部材の変形例を示す斜視図である。
同図は、第三の軸受け部材９、コの字断面部位９ａ、ＰＣＢ側取付部位９ｂ、金具側取付部位９ｃを示している。
次に、これらについて説明する。
第三の軸受け部材９は、金属製板材を断面コの字型となるように折り曲げ加工して形成されている。コの字断面部位９ａは、金属製板材を長手方向に平行に二カ所で断面コの字型に折り曲げて必要な強度を得られるようにしている。ＰＣＢ側取付部位９ｂは、断面コの字型とされる三つの壁面を長手方向と垂直に外側に折り曲げて形成され、ＰＣＢプレート４に対してネジ止め固定することで略垂直に立設可能としている。金具側取付部位９ｃは、断面コの字型とされる三つの壁面の少なくとも一面を長手方向と垂直に内側に折り曲げて形成され、中央に雌ネジ穴を形成して壁掛け金具を螺合固定可能としている。
【００３６】
次に、これらの関係について説明する。
第三の軸受け部材９は金属製板材を折り曲げ加工して形成されており、全長にわたって断面がコの字型となるコの字断面部位９ａを有している。第三の軸受け部材９におけるコの字断面部位の一端はＰＣＢプレートに取り付けるためのＰＣＢ側取付部位９ｂとなっており、同ＰＣＢ側取付部位はコの字断面部位のそれぞれの壁面を長手方向と直角に外側に折り曲げて形成されている。第三の軸受け部材９におけるコの字断面部位の他端は壁掛け金具が螺合するための金具側取付部位９ｃとなっており、同金具側取付部位はコの字断面部位のそれぞれまたは一つの壁面を長手方向と直角に内側に折り曲げて形成されている。
【００３７】
上記図４においては、図３に示す変形例と同様、金属製板材を折り曲げて形成している。この例では、ほぼ全長にわたって断面コの字型に形成されている。コの字型とすることで各壁面を直角に外方に折り曲げた三つの当接面でＰＣＢプレート４に対してネジ止め固定している。コの字型とすることでより強度を増し、全体をコンパクトにすることも可能となっている。
【００３８】
この例でも金具側取付部位９ｃには雌ネジ穴を形成してあるので、壁掛け金具を固定する際には上述した取付ネジ穴２ｃを介してネジ止め固定する。また、ＰＣＢプレート４への固定方法は図示したものに限られず。カシメによる嵌合固定でも良い。
次に、特許請求の範囲の記載と実施例の各構成部品との対応を示す。
特許請求の範囲に記載したフロントキャビネットは、フロントキャビネット１と、開口１ａと、前面枠１ｂと、周縁枠１ｃとによって構成されている。
【００３９】
特許請求の範囲に記載したリアキャビネットは、リアキャビネット２と、背面壁２ａと、周縁壁２ｂと、取付ネジ穴２ｃとによって構成されている。
特許請求の範囲に記載した薄型ディスプレイパネルは、ディスプレイパネル３によって構成されている。
特許請求の範囲に記載したＰＣＢプレートは、ＰＣＢプレート４によって構成されている。
【００４０】
特許請求の範囲に記載した主基板は、ＰＣＢ５によって構成されている。
特許請求の範囲に記載した軸受け部材は、軸受け部材４ａと、軸受け部材７ａと、第二の軸受け部材８と、Ｌ字断面部位８ａと、ＰＣＢ側取付部位８ｂと、金具側取付部位８ｃと、第三の軸受け部材９と、コの字断面部位９ａと、ＰＣＢ側取付部位９ｂと、金具側取付部位９ｃとによって構成されている。
【００４１】
特許請求の範囲に記載した回避穴は、回避穴５ａによって構成されている。
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
【００４２】
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【産業上の利用可能性】
【００４３】
本発明は、薄型ディスプレイに利用することができる。
【符号の説明】
【００４４】
１…フロントキャビネット、１ａ…開口、１ｂ…前面枠、１ｃ…周縁枠、２…リアキャビネット、２ａ…背面壁、２ｂ…周縁壁、２ｃ…取付ネジ穴、３…ディスプレイパネル、４…ＰＣＢプレート、４ａ…軸受け部材、５…ＰＣＢ、５ａ…回避穴、６…スタンド、６ａ…ネック、６ｂ…ベース、７…第二のＰＣＢプレート、７ａ…軸受け部材、８…第二の軸受け部材、８ａ…Ｌ字断面部位、８ｂ…ＰＣＢ側取付部位、８ｃ…金具側取付部位、９…第三の軸受け部材、９ａ…コの字断面部位、９ｂ…ＰＣＢ側取付部位、９ｃ…金具側取付部位、１０…フロントキャビネット、１０ａ…開口、１１…リアキャビネット、１１ａ…取付ネジ穴、１２…ディスプレイパネル、１３…第一のフレーム部材、１４…第二のフレーム部材、１５…ＰＣＢ、１６…スタンド
【図１】
2010256699.tif 000003
【図２】
2010256699.tif 000004
【図３】
2010256699.tif 000005
【図４】
2010256699.tif 000006
【図５】
2010256699.tif 000007